(57)【要約】      （修正有）【課題】濡れている環境で使用してもシェービング準備剤が洗い流されることのない剃刀アセンブリを提供する。【解決手段】剃刀アセンブリは、一つ以上の剃刀カートリッジ１２、シェービングエイドボディ１４、ハンドル、及びハンドルに枢動可能に接続された連結部１８を含む。剃刀カートリッジ１２またはシェービングエイドボディ１４のどちらか一つが第１の方向へ移動すると、剃刀カートリッジ１２またはシェービングエイドボディ１４のうちのもう片方は、もう一つの方向、第１の方向とは略反対方向に移動する。結果として、シェービングボディと剃刀カートリッジとの位置は、シェービングエイドボディの接触面を剃刀カートリッジ内の剃刀刃の刃先と略同じ平面上に維持するように連続的に調整される。【選択図】図２
2008000603.tif 000002
【特許請求の範囲】
【請求項１】
一つ以上の剃刀刃を含む剃刀カートリッジ（１２）と、
シェービングエイドボディ（１４）と、
ハンドル（１６）と、
連結部（１８）とを備え、
前記剃刀カートリッジ（１２）と前記シェービングエイドボディ（１４）とは前記ハンドル（１６）に対してそれぞれ可動なように、前記連結部（１８）が前記剃刀カートリッジ（１２）と前記シェービングエイドボディと（１４）に接続されることを特徴とする、
剃刀アセンブリ（１０）。  
【請求項２】
前記シェービングエイドボディ（１４）は浸食可能であり、前記シェービングエイドボディ（１４）は接触面（１５）と前記接触面（１５）に存在する開口部（１９）とを含み、前記開口部（１９）は前記剃刀カートリッジ（１２）を支持するようにサイズ決めされる、請求項１記載の剃刀アセンブリ（１０）。
【請求項３】
前記シェービングエイドボディ（１４）が浸食するにつれ、前記連結部（１８）が前記接触面（１５）と前記剃刀カートリッジ（１２）との間の規定の位置を維持するように作動可能な、請求項２記載の剃刀アセンブリ。
【請求項４】
前記剃刀カートリッジ（１２）及び／または前記シェービングエイドボディ（１４）のどちらか一つが第１の方向へ移動すると、前記剃刀カートリッジ（１２）及び／または前記シェービングエイドボディ（１４）のうちのもう片方は、第２の方向、第１の方向とは略反対方向に移動する、請求項３記載の剃刀アセンブリ（１０）。
【請求項５】
前記連結部（１８）が前記剃刀カートリッジ（１２）と前記シェービングエイドボディ（１４）との間に延在する少なくとも一つの柔軟な連結部材（２０６、２０８）を含む、請求項３記載の剃刀アセンブリ（１０）。
【請求項６】
前記連結部（１８）が前記剃刀カートリッジ（１２）と前記シェービングエイドボディ（１４）との少なくとも一つに間接的に接続された、請求項５記載の剃刀アセンブリ（１０）。
【請求項７】
少なくとも一つのガイド面（２１０）が前記ハンドル（１６）内に位置する、請求項６記載の剃刀アセンブリ（１０）。
【請求項８】
各前記ガイド面（２１０）が前記ハンドル（１６）内の溝（２１２、２１４）を形成し、単一の柔軟な連結部材（２０６、２０８）は各前記溝（２１２、２１４）内でガイドされる、請求項７記載の剃刀アセンブリ。
【請求項９】
前記剃刀カートリッジ（１２）に付着したホルダー（１９８）と前記シェービングエイドボディ（１４）に付着したベース（２００）とを含み、前記柔軟な連結部材（２０６、２０８）の第１の先端は前記ホルダー（１９８）に付着し、前記柔軟な連結部材（２０６、２０８）の第２の先端は前記ベース（２００）に付着した、請求項８記載の剃刀アセンブリ（１０）。
【請求項１０】
前記ハンドル（１６）は内部空洞（１７）を含み、前記結合部（１８）は前記内部空洞（１７）内に位置する、請求項１記載の剃刀アセンブリ（１０）。
【請求項１１】
前記シェービングエイドボディ（１４）は少なくとも一つの部品を含む、請求項２記載の剃刀アセンブリ（１０）。
【請求項１２】
前記シェービングエイドボディ（１４）は少なくとも前方部を含む、請求項１１記載の剃刀アセンブリ（１０）。
【請求項１３】
前記シェービングエイドボディ（１４）は二つの部品を含む、請求項１１記載の剃刀アセンブリ（１０）。
【請求項１４】
前記シェービングエイドボディ（１４）は前方部と後方部とを含む、請求項１３記載の剃刀アセンブリ（１０）。
【請求項１５】
前記シェービングエイドボディ（１４）は四つの部品を含む、請求項１５記載の剃刀アセンブリ（１０）。
【請求項１６】
前記シェービングエイドボディ（１４）は前方部、後方部、第１の側面部、及び、第２の側面部を含む、請求項１５記載の剃刀アセンブリ（１０）。
【請求項１７】
前記シェービングエイドボディ（１４）の前記開口部（１９）の境界が連続平面によって形成される、請求項２記載の剃刀アセンブリ（１０）。
【請求項１８】
前記シェービングエイドボディ（１４）の前記開口部（１９）の境界が不連続平面によって形成される、請求項２記載の剃刀アセンブリ（１０）。
【請求項１９】
前記連結部材（１８）は二つの前記柔軟な連結部材（２０６、２０８）を備え、各前記柔軟な連結部材（２０６、２０８）は、前記剃刀カートリッジ（１２）に付着した第１の先端と、前記シェービングエイドボディ（１４）に付着した第２の先端とを有する、請求項３記載の剃刀アセンブリ（１０）。
【請求項２０】
各前記柔軟な連結部材（２０６、２０８）が前記剃刀カートリッジ（１２）と前記シェービングエイドボディ（１４）との少なくとも一つに間接的に接続された、請求項１９記載の剃刀アセンブリ（１０）。
【請求項２１】
前記剃刀カートリッジ（１２）に付着したホルダー（１９８）と前記シェービングエイドボディ（１４）に付着したベース（２００）とを備え、各前記たわみ連結部材（２０６、２０８）の第１の先端が前記ホルダー（１９８）に付着し、各前記柔軟な連結部材（２０６、２０８）が第２の先端が前記ベース（２００）に付着した、請求項２０記載の剃刀アセンブリ（１０）。
【請求項２２】
二つのガイド面（２１０）は前記ハンドル（１６）内に位置し、各前記ガイド面（２１０）は前記ハンドル（１６）内の溝（２１２、２１４）を形成し、各前記溝（２１２、２１４）は単一の前記柔軟な連結部材（２０６、２０８）をガイドする、請求項２１記載の剃刀アセンブリ（１０）。
【発明の詳細な説明】
【技術分野】
【０００１】
関連出願の相互参照
本願は、２００３年２月１４日に出願された米国出願１０／３６７，２５５の分割出願であり、２００２年４月２４日に出願された米国仮特許出願６０／３７５，８４４、及び２００２年８月２４日に出願された米国仮特許出願６０／４０５，１８５に基づく優先権を主張している。
【背景技術】
【０００２】
技術分野
本発明は、シェービング装置に関し、特に一つ以上の剃刀刃を加えたシェービングエイド及びそれを備えた操作可能な交換カートリッジを含むシェービング装置に関する。
【０００３】
背景情報
現在の安全剃刀は、ハンドルに枢動可能にまたは固定されて取付けられた、カートリッジ内部に位置される複数の剃刀刃を含む。各剃刀刃はシェービング面に接触する刃先を有する。安全剃刀（また、以下では剃刀アセンブリと称される。）には、再利用できるハンドルとともに使用する使い捨てカートリッジを有するものと、ハンドルとカートリッジが結合され単一で使い捨てのものがある。剃刀カートリッジは、多くの場合シェービング処理を改善するように剃刀刃を後方に位置する帯状のシェービングエイド（例えば、潤滑剤、抗力低減剤、脱毛剤、洗浄剤、薬剤、皮膚調整資産など）を含む。ここで使用される用語「前方」及び「後方」は、安全剃刀の間の相対的な位置を形成する。剃刀刃の「前方」の形態は、例えば、剃刀組立体がその予定されたカッティング方向へと滑らされる場合に、剃られる表面が剃刀刃と遭遇する前にその形態と遭遇するように位置決めさせられる（例えば、ガードは概して剃刀刃の前方に位置する）。剃刀の「後方」の形体は、剃刀アセンブリがその意図されたカッティング方向へ滑らされる場合に、剃られる表面が剃刀刃と遭遇した後にその形体と遭遇するように位置決めされる。（例えば、前述の帯状のシェービング部材は、剃刀刃の後方に位置される）。  
【０００４】
多くの安全剃刀はシェービング準備剤を使用するように設計されている。シェービング準備剤（例えばシェービングクリーム）が皮膚に塗布され、シェービング処理中もしくは処理後に洗い落とすまで残留する。シェービング準備剤は望ましくはシェービング処理を向上させるが、一方で望ましくない側面もある。例えば、シェービングクリームは、シェービング処理が完了する前にしばしば洗い流されてしまうことがよくあるため、濡れている環境でのシェービングでは実用的ではない。さらに、シェービングクリームは、一品以上は浴室に保管してあるなど、使用者が購入または保管しなければならない、剃刀とは独立した品目である。
【発明の開示】
【発明が解決しようとする課題】
【０００５】
したがって、上記の問題点を解消したシェービング準備剤が使用できる剃刀アセンブリ、及びシャワーのある／濡れている環境で使用可能な剃刀アセンブリが必要である。
【課題を解決するための手段】
【０００６】
したがって、本発明の目的は、シェービング準備剤を含む剃刀カートリッジ及びシャワー／濡れている環境で使用可能な剃刀カートリッジを提供することである。
【０００７】
本発明では、一つ以上の剃刀刃含む剃刀カートリッジ、シェービングエイドボディ、ハンドル、及び、連結部を含む剃刀アセンブリを提供する。連結部は、カートリッジとシェービングエイドボディとにハンドルに対して動作する方法により、カートリッジとシェービングエイドボディとに取り外せないように、または着脱可能に取付けられている。第１の方向に剃刀カートリッジまたはシェービングエイドボディのどちらか一方が移動することによって、初めに動いたものとは別の剃刀カートリッジ１２またはシェービングエイドボディ１４がもう一つの方向、第１方向とは略反対方向に移動する。結果的に剃刀カートリッジのシェーブ面とシェービングエイドボディの接触面は、位置を自動調整し、略同じ平面上を保持できる。
【０００８】
本発明の一形態において、交換カートリッジは剃刀アセンブリとともに使用するように提供される。
【発明の効果】
【０００９】
本発明の効果は、本発明で提供されるシェービングエイドボディと剃刀カートリッジとが位置の自動調整をすることで提供される使い易さと安全性とにある。本発明の連結部は、自動調整動作を備えており、シェービングエイドボディと剃刀カートリッジとが互いの位置を継続的に調整し、シェービング処理中に剃刀カートリッジ内部のシェービングエイドボディ接触面と剃刀刃の先端部との間を自動的に望ましい方向を維持している。
第１の方向に剃刀カートリッジまたはシェービングエイドボディが移動することによって、もう一つの方向、第１の方向とは略反対方向に移動するという方法で、接続部は剃刀カートリッジとシェービングエイドボディとに取り外せないように、または着脱可能に取付けられている。シェービングエイドボディの高さ（ひいては接触面の位置）の変化に応じて、例えば、剃刀カートリッジ内部の剃刀刃の位置に連動して自動的に調整可能である。
【００１０】
本発明の別の効果は、シェービング処理中にシェービングエイドを塗布できることである。結果として、濡れているシェービング環境のなかでシェービングエイドボディ内のシェービングエイドをうまく塗布及び使用できる。シェービングクリームやその他のシェービング準備剤などの独立した供給源及びそれに伴う散乱物の必要性が結果的になくなる。
【００１１】
本発明に対する前述の及びその他の目的、機構、効果は、発明を実施するための最良の形態に照らして明白となる。
【発明を実施するための最良の形態】
【００１２】
図１及び図２を参照し、本発明の剃刀アセンブリ１０は、剃刀カートリッジ１２、シェービングエイドボディ１４、ハンドル１６、及び、連結部１８を含む。剃刀アセンブリ１０は、幅２０、長さ２２、高さ２４を有するものとして説明される。
【００１３】
剃刀カートリッジ１２はフレーム２８に取付けられた一つ以上の剃刀刃２６を含む。各剃刀刃２６は、長さ方向延在刃先３１を持つ。剃刀カートリッジ１２は連結部１８と接合しており、詳しくは後述する。適用によっては、剃刀カートリッジ１２はガード３０を含んでもよい。
【００１４】
シェービングエイドボディ１４は、接触面１５を含み、シェービング処理を向上させるために一種類以上のシェービングエイド物質（例えば、潤滑剤、抗力低減剤、脱毛剤、洗浄剤、薬剤、皮膚調整資産など）を構成する、浸食可能な固体である。シェービングエイドボディ１４は、他の特定種類のシェービングエイド物質に限定されないが、むしろ手近な用途にかなうよう選択的に調合可能である。濡れているシェービング環境で、固体の石鹸物質が使用に好ましいシェービングエイド物質の一例として挙げられる。図１及び図２を参照すると、シェービングエイドボディ１４は、剃刀カートリッジ１２に位置する中央開口部１９のある単一の楕円形として図示されている。他の実施例として、シェービングエイドボディ１４は、剃刀カートリッジ１２と隣接した一つ以上の部分、例えば、前方部、後方部、及び／または側方部を構成できる。シェービングエイドボディ１４は、必須ではないが、概してシェービングエイドボディ１４の支持用に構成されたベースに取付けられる。ベースを含んだ実施例として、シェービングエイドボディ１４をベース付きで製造するか、またはベースとは別々に製造してその後で取付けてもよい。下記に説明するように、シェービングエイドボディ１４を交換カートリッジとしてベースとは別に製造してもよい。本発明のシェービングエイドボディ及びベースの例は、米国仮特許出願第６０／３７５，８４３に開示され、参照として本明細書に組み込まれている。
【００１５】
透視図として図２で図式化されている連結部１８は、剃刀カートリッジ１２とシェービングエイドボディ１４とに接続されている少なくとも一つの部材を含む。連結部材は、第１の方向に剃刀カートリッジ１２またはシェービングエイドボディ１４のどちらか一方が移動することによって、初めに動いたものとは別の剃刀カートリッジ１２またはシェービングエイドボディ１４が、もう一つの方向、第１の方向とは略反対方向に移動するという方法で剃刀カートリッジ１２、シェービングエイドボディ１４、及びハンドル１６に接続されている。
【００１６】
いくつかの実施例で、連結部材は、連結部材と剃刀カートリッジ１２とを繋ぐ枢着点、及び連結部材とシェービングエイドボディ１４とを繋ぐ枢着点の間に位置するハンドル１６の一点（すなわちハンドル枢着点）に枢動可能に接続されている。枢着点の相対的な位置決めの方法により、剃刀カートリッジ１２及びシェービングエイドボディ１４はお互いに動き合い、ハンドル１６に対して動き合うことが可能である。前者に関して、剃刀カートリッジ１２とシェービングエイドボディ１４とにおける連結部材への枢着点は、ハンドル枢着点の反対側に位置するが、剃刀カートリッジ１２とシェービングエイドボディ１４とをシーソーのように上下することを可能にし、ハンドル枢着点の略中央に位置する。後者に関して、ハンドル枢着点を定めることで、剃刀カートリッジ１２とシェービングエイドボディ１４とをハンドル１６に対して互いに動くことを可能にする。結果として、シェーブ面（すなわち接触面１５）に接触するシェービングエイドボディ１４の表面は、剃刀カートリッジ１２内にある剃刀刃２６の刃先３１に略同じ平面上の維持が可能である。
【００１７】
連結部材と剃刀カートリッジ１２とシェービングエイドボディ１４との間の枢動軸には、直接的または間接的に接続が可能である。直接的な枢動軸の接続について、連結部材は、剃刀カートリッジとシェービングエイドボディ１４との直接的に接続されている。間接的な枢動軸の接続については、一つ以上の中間部材が連結部材と剃刀カートリッジ１２との間、及び／または、連結部材とシェービングエイドボディ１４との間とに位置する。例えば上記に開示したように、シェービングエイドボディ１４は、概して支持用のベースに取付けられている。このようなアレンジメントにおいて、連結部材はシェービングエイドボディ１４に直接接着されているというよりむしろ、ベースまたは他の中間部材に枢動可能に取付けられている。したがって、連結部材は、間接的にシェービングエイドボディ１４に枢動可能に取付けられている。直接取付け及び間接取付けの際の連結部に関する詳細例は、下記に説明する。
【００１８】
枢着点の相対位置決めによって、枢動可能に装着された剃刀カートリッジ１２またはシェービングエイドボディ１４の機械的拡大率及び／または移動の相対量が追加されるように作用することが可能になる。上記の実施例で説明したように、連結部材の一方の端は剃刀カートリッジ１２に枢動可能に接続され、もう片方の端は、シェービングエイドボディ１４に枢動可能に接続され、ハンドルの枢着点はそれら両端の間に位置している。他の枢着点（すなわち“先端”の枢着点）に対するハンドル枢着点の位置によって、枢動可能に装着された剃刀カートリッジ１２またはシェービングエイドボディ１４の機械的拡大率を与え、及び／または移動の相対量を変化させることが選択的に可能である。例えば、両端の枢着点から等距離に位置しているハンドルの枢着点は、中間的な機械的拡大率及び相対的移動量の供給が可能である。一方、ハンドルの枢着点が片方の先端の枢着点へ移行した場合、剃刀カートリッジ１２またはシェービングエイドボディ１４のどちらか一方が機械的拡大率を獲得する。さらに、移動の相対量は、全く異なる。ハンドルの枢着点と両端の枢着点との的確な相対的位置決めは、手近に利用できるように選択が可能である。
【００１９】
他の実施例では、（下記の例４参照）連結部は、一つ以上のたわみ部材を含む。各たわみ部材の一端は、剃刀カートリッジ１２と接合されており、もう片方はシェービングエイドボディ１４に接続されている。連結部材がハンドル１６内に位置する一点の周りを移動できる方法で、たわみ部材がハンドル１６内に取付けられている。シェービングエイドボディ１４または剃刀カートリッジ１２のどちらか一方が移動することによって、たわみ部材の一部が先端部まで移動し、結果的に初めに移動した方ではないシェービングエイドボディ１４または剃刀カートリッジ１２もまた移動する。
【００２０】
ここで使用される用語「略同じ平面上」は、シェーブ面（例えば、柔軟な皮膚）がシェービングエイドボディ１４の接触面１５と剃刀刃２６の先端１５とに接触可能であるシェービングエイドボディ１４及び剃刀カートリッジ１２のあらゆる相対位置を説明するために用いられる。
【００２１】
シェービングエイドボディ接触面１５の面積は、シェーブ面への接触を目的とする剃刀カートリッジ１２の表面積に対して、選択的にサイズ決めされる（後述の「剃刀カートリッジ接触面表面積」参照）。シェービング処理中に使用者は剃刀アセンブリにシェーブ面を押し付ける。その力は、圧力（力／単位表面積）という用語で説明され、シェービングエイドボディ１４と剃刀カートリッジ１２とに均一に付加される。接触面１５の表面積と剃刀カートリッジの表面積が等しいならば、使用者によってシェービングエイドボディ１４と剃刀カートリッジ１２にかけられる圧力もまた等しくなり得る。一方、接触面１５の表面積が剃刀カートリッジ１２の表面積よりも広い場合に、シェービングエイドボディ１４を経由して連結部１８に伝わる力は剃刀カートリッジ１２を経由して連結部１８に伝わる力よりも大きい。結果的に、剃刀カートリッジ１２はシェーブ面へと付勢する。よって、シェービングボディ接触面１５の表面積は、希望の仕上がりになるように剃刀カートリッジ接触面表面積に対して選択的にサイズ決めされる。
【００２２】
接触面１５と剃刀カートリッジ接触面との表面積の相対的なサイズ決めは、機械的拡大率を相殺するか追加するか前述のハンドル枢着点と先端部枢着点との位置決めを併用して選択することが可能である。
【００２３】
ハンドル１６は、以下に限定はされないが、基軸または内部空洞１７のあるボディ、またはそれらの併用を含むことが可能である。好ましいハンドル１６は、連結部１８と場合によってはシェービングエイドボディの一部とを収納するための内部空洞１７を含んだ、人間工学に基づいたボディを含む。人間工学に基づいた形状のボディは、剃刀アセンブリを使い易くする。上記のように、ハンドル１６は、少なくとも一つの連結部材への枢動接続を含む。
【００２４】
図１を参照し、いくつかの実施例にもあるように、剃刀アセンブリ１０はハンドル１６に付属しているカバー１１０を含む。カバー１１０は、シェービングエイドボディ１４と剃刀カートリッジ１２を囲むようにサイズが決定される。カバー１１０とハンドル１６とはカバー１１０に一方向のみで取付け可能な方法で好ましくはお互いに嵌合するように形成されている。例えば、カバー１１０とハンドル１６とは、非対称に形成されるか、または、非対称の外形を含んでもよい。カバー１１０をハンドル１６に装着している手段１１２は、ユーザーがカバー１１０を装着するか取り外すかを選択できるように提供されている。例えば、図１に示すようにカバー１１０をハンドル１６に取付けるための手段１１２は、カバー１１０に装着された一対のリブ１１４を含み、カバー１１０は一対のリブ１１６と連携してハンドル１６に装着される。リブ１１４及び１１６は、お互いに連携してカバー１１０をハンドル１６に挟む。図１に示す実施例を参照すると、リブ１１４及び１１６は、カバー１１０及びハンドル１６それぞれの長さ方向延在面１１８に沿って位置される。カバー１１０は弾性があり、カバー１１０の横方向延在面１２０に付加される圧力（すなわち横方向延在面１２０をお互いの方へ圧迫する）は、リブ１１４及び１１６をお互いに解放し、よって、カバー１１０がハンドル１６から取り外される。カバー１１０をハンドル１６に固定するアレンジメントは、その代わりに使用されても良い。さらに、カバー１１０は、液体がカバー１１０の外側に排水できる少なくとも一つの排水口１１２を含む。カバーに一つ以上のポート１１２を配置することでカバー１１０は一箇所以上から排水可能となる。
【００２５】
本発明の顕著な有用性を図示し、詳しい実施例によって本発明を完全な出願となるように下記に説明する。下記の実施例は、典型的な例であり、本発明のすべての実行可能な実施例を記述してはいない。
（例１）
【００２６】
図１から図８の実施例を参照し、剃刀アセンブリ１０は、剃刀カートリッジ１２、シェービングエイドボディ１４、ハンドル１６、及び、ハンドル１６に枢動可能に接続された連結部１８とを含む。
【００２７】
図３を参照すると、剃刀カートリッジ１２はガード３０とフレーム２８に装着された複数の剃刀刃２６とを含む。剃刀カートリッジ１２は、そのカートリッジ１２の長さ方向の各先端にあるホルダー３６に枢動可能に装着されている。ホルダー３６は、一対の取付け開口部３８とカートリッジ湾曲部材４０とを含む。ホルダー３６及び剃刀カートリッジ１２は、長さ方向の先端に弓形の機構４１、４２（すなわちタブ）の一対を嵌合することで相互に枢動可能に装着される。機構４２、４１は、ホルダー３６に対する剃刀カートリッジ１２の枢動軌道を形成する。物理的止め４４は、剃刀カートリッジ１２とホルダー３６との間の枢動運動に範囲を定めるために使用される。カートリッジ湾曲部材４０は、ホルダー３６から外側に延在し、剃刀カートリッジ１２を規定の位置まで付勢する。カートリッジ湾曲部材４０は、ホルダー３６に対して剃刀カートリッジ１２に働く回転力に反発する。
【００２８】
取付け開口部３８に隣接して位置する一対の緩衝スロット４５により、剃刀カートリッジ１２をホルダー３６に取付けている間ホルダー３６は弾性的に内側に湾曲する（例えばスナップリング型工具の使用）。いったん剃刀カートリッジ１２とホルダー３６の枢動軸装着機構４２及び４１がお互いに同じ線上になったならば、ホルダー３６は解放され、機構４１及び４２は、ともに剃刀カートリッジ１２とホルダー３６との間に枢動部品構造を形成する。
【００２９】
図４を参照すると、シェービングエイドボディ１４は、楕円形をしており、接触面１５と剃刀カートリッジ１２を支持する中央開口部１９とを有する。シェービングエイドボディ１４は、例えば、インサート成形、結合形成、機械的機構などの装着手段によってベース５０に装着される。ベース５０は、上部面５１、下部面５３、上部面５１と下部面５３との間に延在する中央開口部５２、及び、下部面５３から外側に延在する４つのタブ５４を含む。一対の取付けタブ５４は、ベース５０の長さ方向の各先端に位置しており、一対のうちの各タブ５４は、片方から見て横方向に距離を置いて位置する。各タブ５４は開口部５６を含み、長さ方向の各先端にある一対のうちの開口部５６は、それぞれに軸方向に並列して位置する。各開口部５６の形状（例えば円形、楕円形、スロット状など）は、連結部の動作に適合するように選択され、下記に説明する。図４の具体例を参照し、取付けタブ５４と中央開口部５２とは、同じ平面状に位置する。
【００３０】
図５から図８を参照し、連結部１８はホルダー３６とベース５０との間に延在し、枢動可能に接続された第１の部材５８と第２の部材６０とを含む。第１の部材５８と第２の部材６０は、ハンドル１６にもまた枢動可能に装着されている。この実施例は、剃刀カートリッジ１２とシェービングエイドボディ１４とに間接的に枢動動可能に接続された連結部の例である。この実施例は、横方向延在軸６２の回りに枢動する連結部を図示している。
【００３１】
第１及び第２の連結部材５８、６０は、それぞれに一対のベース軸６４とホルダー軸６６と中央フランジ７０に位置する中央開口部６８とを含む。ベース軸６４は、一対のべースタブ５４内に位置する開口部５６を内側で支持可能にサイズを決定し間隙を作る。ホルダー軸６６は、ホルダー３６内に位置する取付け開口部３８の一つを内側で支持可能にサイズを決定と位置とを決定する。実施例を参照し、中央フランジ７０は、ハンドル１６の内側から外側に延在しているストップタブ７６を支持するための張出しスロット７２を含み、下記に説明する。各連結部材５８、６０に存在する張出しスロット７２を設置し、その連結部材に対する枢動移動の範囲を定める。アセンブリとして第１の連結部材５８および第２の連結部材６０はベースとホルダー間に延在する鋏型の連結部を形成しており、その動作については、「剃刀アセンブリの操作」の中で以下さらに詳細に説明する。
【００３２】
図８を参照し、ハンドル１６はホルダー３６と連結部１８とベース５０との少なくとも一部を支持する内部空洞１７を含む。ハンドル１６の外形は、剃刀アセンブリ１０を使い易いように人間工学に基づき形成されている。ハンドル１６は、一対の連結部ポスト７４を含み、それぞれもう片方へと向かって空洞１７に延在し、それぞれもう片方と同じ線上になっている。各連結部ポスト７４は、上述のように連結部中央フランジ７０の張出しスロット７２内で支持するストップタブ７６を含む。連結部ポスト７４と連結部中央開口部６８とは、ハンドル枢着点を形成している。組立ての際に、実施例において連結部ポスト７４、中央フランジ７０、及び／またはホルダー３６（またはそのいくつかの組合せ）のサイズ決めによって、わずかに締まりばめ接合を形成するようになる。締まりばめ接合では、剃刀カートリッジ１２とシェービングエイドボディ１４との間の動作をわずかに鈍らせるが、阻止することはない。結果として、剃刀カートリッジ１２とシェービングエイドボディ１４との相対的位置は保持される。
【００３３】
上述のように、１）ベース軸６４及びベース５０、２）ホルダー軸６６及びホルダー３６、３）連結部ポスト７４及び連結部材５８、６０との間の枢軸接続について嵌合雌雄対という点から上記に説明した。代替の実施例では、上記のように嵌合雌雄対を有する雄方の要素は、一対の雌方と組込み可能であり、逆も同様に可能で、他タイプの枢軸アレンジメントでも可能である。
【００３４】
上記のように、シェービングエイドボディ１４、ベース５０、剃刀カートリッジ１２、ホルダー３６、及び、連結部１８は、交換式のカートリッジとしてハンドル１６に着脱可能な独立したアセンブリとして予め組立てられることが可能である。もしくは、一つ以上のシェービングエイドボディ１４、ベース５０、剃刀カートリッジ１２、及び、ホルダー３６は、独立した交換カートリッジ、あるいはこれらの組合せから形成される交換カートリッジとして供給可能である。例えば、シェービングエイドボディ１４は、独立した交換カートリッジとして供給可能か、あるいは、交換カートリッジとしてベース５０との組合わせが可能である。シェービングエイドボディ１４が独立した交換カートリッジとして供給される場合は、機械的な装着手段及び他のタイプの装着手段は、シェービングエイドボディにベース５０を装着するために使用可能である。米国仮特許出願第６０／３７５，８４３は、参照として本明細書に組み込まれているが、当該の交換カートリッジについて開示している。その他の例として、剃刀カートリッジ１２とホルダー３６とを交換カートリッジとして一体化させることも可能である。
（例２）
【００３５】
図１、図２及び図９から図２２の実施例を参照し、剃刀アセンブリ１０は、剃刀カートリッジ１２、ホルダー７８、シェービングエイドボディ１４、ベース８０、ハンドル１６、及び、ハンドル１６に枢動可能に接続された連結部１８を含み、提供されている。
【００３６】
図２、図９から図１３、図１５、及び、図１６を参照し、剃刀カートリッジ１２は、フレーム２８に装着されたガード３０と複数の剃刀刃２６とを含む。剃刀カートリッジ１２は、カートリッジの長さ方向の各先端にあるホルダー７８に枢動可能に装着されている。ホルダー（図１３参照）は、複数のガイドパネル８４と一対のアセンブリ開口部８６とカートリッジ付勢部材８８とを含む。図１０から図１３までの実施例を参照し、ホルダー７８と剃刀カートリッジ１２とは長さ方向の各先端に存在する弓型の機構９０、９１（例えば、タブ）の嵌合対によって相互に枢動可能に装着されている。弓形の機構９０、９１は、ホルダー７８に対して剃刀カートリッジ１２の枢動軌道を形成する。その他の代替案においてもホルダー７８に剃刀カートリッジ１２を枢動可能に装着するものを使用してもよい。アセンブリ開口部８６と、アセンブリ開口部８６に隣接して位置する一対の緩衝スロット９２とにより、剃刀カートリッジ１２がホルダー７８に取付けられているときにホルダー７８は弾性的な内側への湾曲が可能となる。剃刀カートリッジ１２とホルダー７２との一部である枢軸接続の機構９１及び９０が互いに同じ線上になると、ホルダー７８が解放され、機構９１及び９０は剃刀カートリッジ１２とホルダー７８との間を枢動接続の構造を形成するように嵌合する。緩衝スロット９２の内側に位置する一つ以上の緩衝装置９４は、ホルダー７８が湾曲する量を制限する。カートリッジ付勢部材８８は、ホルダー７８から外側に延在し、剃刀カートリッジ１２を規定の位置まで付勢かせる。カートリッジ付勢部材８８は、ホルダー７８に対して剃刀カートリッジ１２の回転力に対抗する。
【００３７】
図１３を参照し、一対のガイドパネル８４はホルダー７８の片側に位置し、単一のガイドパネル８４は、ホルダー７８の逆側に位置する。ホルダー７８の両側あるガイドパネル８４の非対称な個数と位置とにあることで、ホルダー７８とベース８０とは一方向のみで組立て可能にし、下記に説明する。各ガイドパネル８４は、レール９８と止め１００を有する。止め１００は、レール９８から外側に延在し、レール９８に対して略垂直に存在する。ガイドパネル８４に加えてさらにホルダー７８は、ホルダー７８の長さ方向先端にある各先端ガイド１０４を含む。先端ガイド１０４は、ホルダー７８の長さ方向の各先端にわずかな距離内側に位置する一対のフランジ１０６を含む（図９、図１１、図１４参照）。剃刀カートリッジ１２に隣接する各「Ｔ型」先端ガイド１０４の高さ方向に一つ以上のストップタブ１０８（図９及び図１１参照）は、先端ガイド１０４に沿って移動の範囲を定めるように配置される。
【００３８】
図９から図１２及び図１４から図１７を参照し、シェービングエイドボディ１４は楕円形で、剃刀カートリッジ１２を支持する接触面１５と中央開口部１９とを有する。シェービングエイドボディ１４は、例えばインサート成形、結合形成、機械的機構などの装着手段によってベース８０に装着される。ベース８０は、上部面１１４、下部面１１６、上部面１１４と下部面１１６とから延在する中央開口部１１８、複数の横方向ガイド溝１２０（図１８参照）、複数の先端ガイド溝１２２、ホルダー７８を保持する一つ以上の機構１２４、及び、ハンドル交換カートリッジ１２８に接続する一つ以上の機構１２６を含む。中央開口部１１８は、ホルダー７８を支持するためにサイズ決めされる。横方向ガイド溝１２０と先端ガイド溝１２２とは、ホルダー７８に各々装着するガイドパネル８４と先端ガイド１０４とに嵌合するように成形される。嵌合雌雄対（例えば、各々、ガイドパネル８４及び横方向ガイド溝１２０、もしくは、先端ガイド１０４及び先端ガイド溝１２２）のうち雄方を有する上記の要素は、一対の雌方と連携可能であり、逆も同様に可能で、そのいくつかの組合せでも可能である。嵌合雌雄対（例えば、各々、ガイドパネル８４及び横方向ガイド溝１２０、もしくは、先端ガイド１０４及び先端ガイド溝１２２）は、ベース８０の中央開口部１１８内のホルダー７８を誘導する手段を提供する。
【００３９】
図９から図１２及び図１４から図１６を参照し、一対のガイド溝１２０は、中央開口部１１８の横方向の端に隣接して位置され、単一のガイド溝１２０は、中央開口部の横方向の向かい合った端に隣接して位置される。ガイド溝１２０は、ホルダー７８のガイドパネル８４と一致させるように配置される。上記のように、ホルダー７８とベース８０とが単一方向でのみ組立て可能なようにホルダー７８のそれぞれの側にあるガイドパネル８４とガイド溝１２０との個数と位置とを選択するのが好ましい。先端ガイド溝１２２は中央開口部１１８の各横方向の先端に位置し、ホルダー先端ガイド１０４を支持する。固定フランジ１３０は、中央開口部１１８の各横方向の先端に隣接したベース８０の下部面１１６から外側に延在している。各固定フランジ１３０は、ホルダー７８を固定している一つ以上の機構１２４と交換カートリッジ１２８をハンドル１６に接続している一つ以上の機構１２６とを含む。実施例に示すように、ホルダー７８を保持している一つ以上の機構１２４は、固定フランジ１３０から中央開口部に向かい外側へ延在している一対のタブ１３２で構成されている。タブ１３２は、先端ガイド溝１２２によってそれぞれに分割され、ホルダー７８に付着したストップタブ１０８の軌道に位置する。交換カートリッジ１２８をハンドル１６に接続する機構１２６は、クリップ１５４を支持する各固定フランジ１３０に位置する開口部１３４で構成され、下記に説明する。ホルダー７８を固定する機構１２４と交換カートリッジ１２８に接続する機構１２６は、上記の実施例に示されたタブ１３２と開口部１３４との実施例に限定されない。
【００４０】
したがって、剃刀カートリッジ１２、シェービングエイドボディ１４、ホルダー７８、及び、ベース８０とから構成される交換カートリッジ１２８は、ハンドル１６から着脱可能な単一の組立て集合体として組立て可能である。シェービングエイドボディ１４はベース８０に装着されており、剃刀カートリッジ１２はホルダー７８に枢動可能に装着されている。ホルダー７８とベース８０とは、ガイドパネル８４、及び横方向ガイド溝１２０、及び先端ガイド１０４、及び先端ガイド溝１２２を経由してお互いに摺動可能に係合している。ホルダー７８とベース８０との間の動作はホルダー７８に付着したストップタブ１０８及び固定フランジ１３０に付着したタブ１３２によって移動の一端を制限されている。ホルダー７８とベース８０とは、ベース中央開口部１１８の横方向両端に交差しているガイドパネル８４に付着した止め１００によって移動の反対側の片端を制限されている。あるいは、一つ以上のシェービングエイドボディ１４、及びベース８０、及び剃刀カートリッジ１２、及びホルダー７８は、独立した交換カートリッジあるいはその組合せから形成される交換カートリッジとして提供可能である。例えば、上記の代替案ではＳＡＢ（シェービングエイドボディ）可動台部１３８に付着されているか、あるいは一体化して形成されているベース８０の活用が可能である。この実施例では、ベース８０は使い捨ての交換アイテムとして連結部１８から取り外すように意図されてはいないが、シェービングエイドボディ１４は、必要に応じてベース８０から着脱可能に選択できるような交換アイテムとなる。
【００４１】
図９から図１２及び図１７から図２２を参照し、連結部１８は、連結部材１３６、シェービングエイドボディ可動台部１３８（「ＳＡＢ可動台部」）、及び、剃刀カートリッジ可動台部（「ＲＣ」可動台部）を含む。連結部材（図１９参照）は、以下、枢軸連結具１３６と称し、少なくとも一つの長さ方向に延在するハンドル枢動軸１４２と第１の突起部１４４と第２の突起部１４６とを含む。第１の突起部１４４は長さ方向延在軸１４８の第１の側面に位置する。第２の突起部１４６は、長さ方向延在軸１４８の第２の側面で第１の側面の反対に位置する。図１９の実施例を参照し、枢軸連結具１３６は、複数の第１の突起部１４４と複数の第２の突起部１４６とを有する。
【００４２】
図２０及び図２１を参照し、ＳＡＢ可動台部１３８は、中央開口部１５２を有するカラー１５０、一つ以上の選択的に作動可能な固定クリップ１５４（図９及び図１１参照）、一対の先端パネル１６２、中央パネル１６４、及び、少なくとも一つの台座１５６を含む。カラー１５０は、ベース８０とシェービングエイドボディ１４とを支持するようにサイズ決めされている。先端パネル１６２と中央パネル１６４とは、中央開口部１５２を取り囲んでいるカラー１５０から外側に延在している。一つ以上の選択的に作動可能な固定クリップ１５４（図９参照）は、カラー１５０に枢動可能に取付けられている。固定クリップ１５４は、ベース８０の固定フランジ１３０内に位置する開口部１３４に係合するように位置する。クリップ１５４は、ベース８０ひいては交換カートリッジ１２８を連結部１８に選択的に装着するように機能する。固定クリップ１５４は、ベース８０の固定フランジ１３０内に位置する開口部１３４に付勢させて係合している付勢手段１６６を含む。一例として、ハンドル１６を通じて、使用者が直接的に固定クリップ１５４を押すことによって、固定クリップ１５４は、ベース８０から枢動的な係合を選択的に取り外し可能になる。その他の例としては、固定クリップ１５４に係合したハンドル１６に取付けられたボタン１６８か同種のものを経由して、固定クリップ１５４は間接的に作動可能になる。図９の実施例を参照し、ボタン１６８はハンドル１６に取付けられているので、固定クリップ１５４はＳＡＢ可動台部１３８がハンドル１６と連動する位置によって異なる箇所に係合する。台座１５６（一つ以上）は、中央パネル１６４から外側に延在する反対側の一対のタブ１７０を含む。
【００４３】
図２２を参照し、ＲＣ可動台部１４０は、一つ以上のサドル１５８、少なくとも一つの台座１６０、中央パネル１７２、及び、一対の側面パネル１７４を含む。各サドル１５８は、ホルダー７８に付着したガイドパネル８４を支持する位置にある中央パネル１７２から外側に延在している。各サドル１５８は、ホルダー７８に属する各ガイドパネル８４を保持するための固定クリップ１７８を含む。固定クリップ１７８は、アッタッチメントを円滑に作用させるガイド面１５９を含む。各台座１６０は、中央パネル１７２から外側に延在している対抗する一対のタブを含む。高さ１８２を持つ移動スロット１８０は、パネル１７４の両側に存在する。
【００４４】
枢軸連結具１３６とＳＡＢ可動台部１３８とＲＣ可動台部１４０との間にある枢軸アレンジメントについて、図１０、図１２、図１８にすでに参照している。ＲＣ可動台部１４０の中央パネル１７２及び側面パネル１７４は、ＳＡＢ可動台部１３８の先端パネル１６２及び中央パネル１６４内に摺動可能に位置される。枢軸連結具１３６はＳＡＢ可動台部１３８とＲＣ可動台部１４０との間に位置する。特に、第１の突起部１４４は、ＳＡＢ可動台部１３８に付属する対抗する一対のタブ１７０に支持され、第２の突起部１４６は、ＲＣ可動台部１４０に付属する対抗する一対のタブ１７６間で支持される。下記の「剃刀アセンブリの操作」で説明するように、連結部材１３６の回転により第１の突起部１４４は、台座１５６に対して枢動し、かつ可動台部１３８は第１の方向へ移動し、第２の突起部１４６は、各台座１６０に対して枢動し、ＲＣ可動台部１４０はもう一つの方向、すなわち第１の方向とは略反対方向へ移動する。
【００４５】
代替の実施例として、枢軸連結具１３６は、横方向に延在するアレンジメントに位置する。例えば、図９から図１２を参照し、枢軸連結具１３６は、動作方向に対して略垂直に位置し、台座１５６及び１６０は、突起部１４４及び１４６を支持するように位置する。
【００４６】
図１、図９、及び図１１を参照し、この実施例では、ハンドル１６は、連結部１８を支持するためにサイズ決めされる内部空洞１７を含み、いくつかの例ではホルダー７８及びベース８０も含む。ハンドル１６の外形は、剃刀アセンブリ１０を使い易いように人間工学に基づいて形成されている。ハンドル１６は、ハンドル枢動軸１４２を支持するように位置決め及びサイズ決めされた一対のベアリング面１８４を含む。いくつかの実施例では、上記の構成材（例えば、ホルダー７８、ベース８０、ＳＡＢ可動台部１３８、及び／またはＲＣ可動台部１４０）は、この構成材を組立てるときに僅かな締まりばめを形成するようになる。締まりばめは、剃刀カートリッジ１２とシェービングエイドボディ１４との間の動作をわずかに鈍らせるが、阻止することはない。結果的に、剃刀カートリッジ１２とシェービングエイドボディ１４との相対的位置は維持される。
（例３）
【００４７】
実施例の図２３及び図２４を参照し、上記の例２で説明のアセンブリに類似した剃刀アセンブリ１０は、上記とは異なる接合部を有するものとして例示されている。この実施例では、連結部１８は、連結部材１９０、シェービングエイドボディ可動台部１３８（ＳＡＢ可動台部）、及び、剃刀カートリッジ可動台部１４０（ＲＣ可動台部）を含む。連結部材１９０は、以下、枢軸連結具１９０と称し、少なくとも一つの長さ方向に延在するハンドル枢動軸１４２と一対の枢軸ローラー１９２とを含む。
【００４８】
ＳＡＢ可動台部１３８は、台座１５６の代わりに一対のローラーレール１９４を含むこと以外は上記の例２と類似している。同様にＲＣ可動台部１４０は、台座１６０の代わりに一対のローラーレール１９６を含むこと以外は上記の例２と類似している。
【００４９】
枢軸連結具１９０に属する枢軸ローラー１９２、及び、ＳＡＢ可動台部１３８とＲＣ可動台部１４０とに属するローラーレール１９４、１９６は、下記のように機能する相互補助の機構を有する。例えば、枢軸ローラー１９２は、線形ローラーレール１９４、１９６に位置する歯車と噛み合う、円形の歯車でもよい。その他の例では、枢軸ローラー１９２の外周に間隔を空けて突起部（例えば、半円形のボタン）を設け、ローラーレール１９４、１９６に位置する弾性素材（例えば、ゴム製の素材）と枢軸ローラー１９２を最終的に係合させてもよい。（または、逆も同じ）。その他の例において、枢軸ローラー１９２及び／またはローラーレール１９４、１９６は、摩擦を受けるように相互に係合する素材を含んでもよい。上記の例は、枢軸ローラー１９２とローラーレール１９４、１９６とで使用可能な異なる機構を説明し、枢軸ローラー１９２とローラーレール１９４、１９６とは、下記の「剃刀アセンブリの操作」で述べる方法で相互作用を可能にする。しかしながら、本発明はこれらの例に限定されない。
【００５０】
枢軸連結具１９０とＳＡＢ可動台部１３８とＲＣ可動台部１４０に属する側面パネル１７４との間の枢軸アレンジメントは、図２３と図２４とに分かり易く参照されている。中央パネル１７２及びＲＣ可動台部１４０に属する側面パネル１７４は、先端パネル１６２及びＳＡＢ可動台部１３８に属する中央パネル１６４の内部に摺動可能に位置する。枢軸連結具１９０は、ＳＡＢ可動台部１３８とＲＣ可動台部１４０との間に位置する。特に枢軸ローラー１９２は、ローラーレール１９４と１９６との間に位置し、係合している。下記の「剃刀アセンブリの操作」の中で説明するように、連結部材１９０の回転によって枢軸ローラー１９２はＳＡＢ可動台部１３８を第１の方向に、ＲＣ可動台部をもう一つの方向すなわち第１のとは略反対方向に回転及び移動する。
【００５１】
代替の実施例として、枢動軸１４２は横方向に延在するアレンジメントに位置してもよい。例えば、その場所は、図２３及び図２４参照の枢軸ローラー１９２が動作方向から略垂直に位置し、ローラーレール１９４、１９６は、枢軸ローラー１９２に係合するように位置する。
【００５２】
この例におけるハンドル１６（図１参照）は、例２での説明と類似しており、よってここでは再度説明しない。
（例４）
【００５３】
代替の実施例として、図２５の透視図を参照し、剃刀アセンブリ１０は、剃刀カートリッジ１２、ホルダー１９８、シェービングエイドボディ１４、ベース２００、ハンドル１６、及び、ハンドル１６内に取付けられた連結部１８を含み、提供されている。剃刀カートリッジ１２はホルダー１９８に付着されている。ホルダー１９８は、線２０２として図示されている移動軌道に対して略平行の直線運動を可能にするよう、摺動可能に取付けられ、ガイドされる。シェービングエイドボディ１４は楕円形をしており、接続面１５と剃刀カートリッジ１２を支持する中央開口部１９とを有する。シェービングエイドボディ１４は、例えばインサート成形、結合形成、機械的機構などの装着手段によってベース２００に取付けられている。ベース２００は、ホルダー１９８を支持する中央開口部２０４及び／または連結部１８を含む。ベース２００は、線２０２に略平行の方向へ直線運動を可能にするよう、摺動可能に取付けられ、ガイドされる。
【００５４】
図２５を参照し、連結部１８はホルダー１９８とベース２００との間に延在する一対の連結部材２０６、２０８を含む。各連結部材２０６、２０８は柔軟性のあるバンドであり、一端をホルダー１９８に、もう一端をベースに、直接または間接的に付着させる。例えば、図２５参照の実施例は、連結部材２０６、２０８はホルダー１９８とベース２００に付着され、よって剃刀カートリッジ１２とシェービングエイドボディ１４とに間接的に接続されている。柔軟な連結部材２０６、２０８はハンドル１６内に位置するポイントの周りを枢動する方法でハンドル１６内に取付けられる。例えばガイド面２１０は第１の溝２１２と第２の溝２１４とを形成する。各連結部材２０６、２０８は、溝２１２、２１４のうちの一つの内部で支持される。各溝２１２、２１４の両ガイド面２１０間の間隙（すなわち、溝の幅）２１６は、連結部材２０６、２０８がそれ通って拘束なく移動可能な程度の幅広さを持ち、かつ、溝２１２、２１４内で明らかな左右の偏りを防止する程度の狭さを持つようにサイズ決めされる。下記に説明するように、溝２１２、２１４を通って連結部材２０６、２０８の移動によってホルダー１９８と付着された剃刀カートリッジ１２は第１の方向に、ベース２００と付着されたシェービングエイドボディ１４はもう一つの方向すなわち第１の方向とは略反対方向に移動する。
【００５５】
組立て時に、一つ以上の上記の構成材（例えば、ホルダー１９８、ベース２００、連結部材２０６、２０８）は、少なくとも一部は僅かに締まりばめを受けてもよい。締まりばめは、剃刀カートリッジ１２とシェービングエイドボディ１４との間の動作をわずかに鈍らせるが、阻止することはない。結果的に、剃刀カートリッジ１２とシェービングエイドボディ１４との相対的位置は維持される。
【００５６】
上記の例１から例３に説明したように、一つ以上のシェービングエイドボディ１４、ベース２００、剃刀カートリッジ１２、及び、ホルダー１９８は、独立した交換カートリッジあるいはその組合せから形成される交換カートリッジとして供給可能である。
（例５）
【００５７】
代替の実施例として、図２６及び図２７の透視図を参照し、剃刀アセンブリ１０は、ホルダー２２０、シェービングエイドボディ１４、ベース２２２、ハンドル１６、及び、ハンドル１６内に取付けられている連結部１８を含む。剃刀カートリッジ１２は、ホルダー２２０に付着している。ホルダー２２０は、線２２４として図示されている移動軌道に対して略平行の直線運動を可能にするよう、摺動可能に取付けられ、ガイドされる。シェービングエイドボディ１４は、上記に説明したものと類似し、例えば、楕円形をしており、接触面１５と剃刀カートリッジ１２を支持する開口部１９とを有する。シェービングエイドボディ１４は、例えばインサート成形、結合形成、機械的機構などの装着手段によってベース２２２に取付けられている。ベース２２２は、ホルダー２２０を支持する中央開口部２２６及び／または連結部１８を含む。ベース２２２は、線２２４に対して略平行の方向へ直線運動を可能にするよう、摺動可能に取付けられ、ガイドされる。
【００５８】
連結部１８は、シェービングエイドボディ１４と剃刀カートリッジ１２との間に直接的あるいは間接的に延在する少なくとも一つの連結部材２８０、２３０を含む。少なくとも一つの連結部材２２８、２３０は、ハンドル１６内に枢動可能に取付けられている。例えば、図２６及び図２７の透視図で示される実施例は、第１の連結部材２２８と第２の連結部材２３０とを含む。各連結部材２２８、２３０は、第１の脚２３２、第２の脚２３４、及び、第１の脚２３２と第２の脚２３４との間に延在し枢動可能に付着している中央連結具２３６を含む。各連結部材２２８、２３０に属する第１の脚２３２は、ベース２２２に付着しており、それによって間接的にシェービングエイドボディ１４に付着している。各連結部材２２８、２３０に属する第２の脚２３４は、ホルダー２３４に付着しており、それによって間接的に剃刀カートリッジ１２に付着している。第１の脚２３２及び第２の脚２３４は、お互いに直接的にシェービングエイドボディ１４及び剃刀カートリッジ１２それぞれに付着可能である。各連結部材２２８、２３０の中央連結具２３６は、中央連結具２３６をハンドル１６に対して枢動可能させる軸関節２３８を含む。図２６及び図２７の実施例を参照し、ハンドル１６に装着されたスタブ軸２４０は、中央連結具２３６に装着されたベアリング取付け具２４２内で支持される。他のタイプの軸関節２３８は、ハンドル１６と中央連結具（一つ以上）２３６との間に選択的に使用されてもよい。
【００５９】
「剃刀アセンブリの操作」の中で説明するように、各連結部材２２８、２３０の中央連結具２３６の回転によって、第１の脚２３２とシェービングエイドボディ１４とは第１の方向に、第２の脚２３４と剃刀カートリッジ１２はもう一つの方向、すなわち第１の方向とは略反対方向に移動する。
（例６）
【００６０】
図２８から図３７の引用例を参照し、剃刀アセンブリ１０は、剃刀カートリッジ１２、シェービングエイドボディ１４、剃刀カートリッジ可動台部２５０、シェービングエイドボディ可動台部２５２、ベース２５４、ハンドル１６、及び、ハンドル１６に枢動可能に接続されている連結部１８を含み、提供されている。剃刀カートリッジ１２は、ガード３０及びフレーム２８に装着された複数刃の剃刀刃２６を含む。
【００６１】
図２８から図３３を参照し、剃刀カートリッジ可動台部（「ＲＣ可動台部」）２５０は、フレーム２６０に枢動可能に取付けられた第１の脚２５６と第２の脚２５８、アームを付勢させるための手段２６２、剃刀カートリッジを付勢ための手段２６４、及び、一対のアクチュエータ軸２６を含む。第１のアーム２５６と第２のアーム２５８とは、左側形と右側形以外は同じである。アーム２５６、２５８に対して剃刀カートリッジ１２を枢動可能に装着するための一つ以上の弓形機構２６８は、各アーム２５６、２５８の先端に付着している。剃刀カートリッジ１２とアーム２５６、２５８とは、上述の例１および例２の中でホルダー３６、７８と剃刀カートリッジ１２との間と同じもしくは類似した方法で装着されている。枢動軸２７０は各アーム２５６、２５８の片側一方から外側に延在している。アクチュエータ軸２６６は、各アーム２５６、２５８に付着し、横方向へ外側に延在している。アームガイドフランジ開口部２７４は、各アーム２５６、２５８に位置する。フレーム２６０は、一対のアーム開口部２７６、一対の下部連結具開口部２７８、一対の上部連結具開口部２８０、付勢部材取付けブラケット２８２、一対のポストガイドフランジ２８４、一対のアームガイドフランジ２８６、及び、一対のフレームガイドフランジ２８８を含む。アーム２５６、２５８を付勢させる手段２６２は、剃刀アセンブリ１０のそれぞれ長さ方向へとアームを付勢かせ、そして、剃刀カートリッジ１２を係合にまで至る、各アーム２５６、２５８に作用する一つ以上の付勢部材を含む。図２８から図３６の実施例を参照し、一つ以上の付勢部材は、第１の先端２９２、第２の先端２９４、及び、第１の先端と第２の先端との間に位置する取付け機構２９６を有する板ばね２９０、及び、付勢部材３０２（例えば、コイルばね）を含む。
【００６２】
ＲＣ可動台部２５０は、ＳＡＢ可動台部２５２内で摺動可能に支持する単一のアセンブリとして組立てられており、下記に説明する。アーム２５６、２５８から外側に延在する枢動軸２７０は、フレーム２６０内に位置する一つのアーム開口部２７６内で支持され、よって、アーム２５６、２５８とフレーム２６０との間の枢動運動を可能にする。フレーム２６０に付着されたアームガイドフランジ２８６は、アーム２５６、２５８内に位置するアームガイドフランジ開口部２８４内で支持する。図２９から図３２の実施例を参照し、板ばね２９０の第１の先端２９２は第１のアーム２５６に対抗して作用し、板ばね２９０の第２の先端２９４は第２のアーム２５８に対抗して作用するので、アーム２５６、２５８を剃刀アセンブリ１０の長さ方向の各先端へと付勢させる。取付け機構２９６は、付勢部材取付けブラケット２８２に係合し、フレーム２６０に装着されている。片方のコイルばね２９８は、第１のアーム２５６と第２のフレーム２６０との間に位置し、もう一方のコイルばね２９８は、第２のアーム２９８とフレーム２６０との間に位置する。板ばね２９０のように、コイルばね２９８は剃刀アセンブリ１０の長さ方向の各先端へアーム２５６、２５８を付勢させる。アーム２６２を付勢させる手段の力に勝るだけのアクチュエータ軸に加えられる圧力によって、アーム２５６、２５８はアセンブリ１０の長さ方向先端から内側に枢動する。アーム２５６、２５８による所定の内側への動きによって、剃刀カートリッジ１２とアーム２５６、２５８とは取り外され、剃刀カートリッジ１２を吐出する。逆に、アーム２５６、２５８を所定の内側への動きによって、剃刀カートリッジ１２は剃刀アセンブリ１０に装着される。この実施例では、アクチュエータ軸２６６はＲＣ可動台部２５０に装着され、ＲＣ可動台部２５０に伴って動き、よってハンドル１６に連動して移動する。剃刀カートリッジ１２を付勢させる手段２６４のポスト３００部分は、複数のポストガイドフランジ２８４の間に摺動可能に位置する。剃刀カートリッジ１２を付勢させる手段２６４の付勢部材３０２部分は、フレーム２６０とポスト３００との間で作用する。剃刀カートリッジ１２を付勢させる手段２６４は上述した類似の方法で作用し、例えば、アーム２５６、２５８に対して剃刀カートリッジ１２を所定の位置まで付勢させ、剃刀カートリッジ１２の回転に抵抗する。
【００６３】
シェービングエイドボディ１４は、上記のような例えば、楕円形であり、接触面１５と剃刀カートリッジ１２を支持する中央開口部１９とを有する点で同じかまたは類似している。シェービングエイドボディ１４は、例えばインサート成形、結合形成、機械的機構などの装着手段によってベース２５４に付着している。ベース２５４は、ベース２５４をＳＡＢ可動台部２５２に装着する一つ以上の機械的機構２５５（例えば、ポスト、タブ、ピンなど）を含む。
【００６４】
図３６を参照し、ＳＡＢ可動台部２５２は、カラー３０４、一対の第１のポスト３０６、一対の第２のポスト３０８、及び、一対のガイド溝３１０を含む。カラー３０４は、中央開口部３１２及びベース２５４に装着された機構２５５に係合した一つ以上の機構３１４を含む。図３６を参照し、機構３１４は、ベース２５４から外側に延在する雄型機構２５５を支持する開口部として示されている。他の装着アレンジメントを代替として使用してもよい。第１のポスト３０６と第２のポスト３０８とは、カラー３０４から外側に延在し、それぞれ開口部３１６を含む。第１のポスト３０６は、第２のポスト３０８よりも長い。第１のポスト３０６と第２のポスト３０８とは、中央開口部３１２の各横方向側に位置する。各ガイド溝３１０は、中央開口部３１２の各長さ方向側に位置する。
【００６５】
図２９から図３１、及び、図３７を参照し、連結部１８は、四つの連結具３１８を含み、それぞれにＳＡＢ可動台部軸３２０とＲＣ可動台部軸３２２とハウジング軸３２４とを有する。ＳＡＢ可動台部軸３２０は各連結具３１８の一端から外側に延在し、ＲＣ可動台部軸３２２は連結具３１８のもう一方の端から外側に延在し、ハウジング軸３２４は、他２つの軸３２０と３２２との間の位置し、連結具３１８から外側へ延在している。ハウジング軸３２４は、各連結具３１８の片側一方に位置する。ＳＡＢ可動台部軸３２０とＲＣ可動台部軸３２２とは、連結具３１８のハウジング軸３２４とは反対側に位置する。
【００６６】
組立て時に、ＲＣ可動台部２５０は、ＳＡＢ可動台部２５２の中央開口部３１２内で摺動可能に支持している。フレームガイドフランジ２８８は中央開口部３１２の長さ方向各端のガイド溝３１０内で支持する。二つの連結具３１８はＲＣ可動台部２５２の両側に位置し、それぞれＲＣ可動台部２５０とＳＡＢ可動台部２５２との間に延在している。両側にある二つの連結具３１８のうち一つは、第１のポスト３０６と下部連結具開口部２７８との間に延在している。二つの連結具３１８の逆側にあるもう片方は、第２のポスト３０８と上部連結具開口部２８０との間に延在する。いずれの場合も、ＳＡＢ可動台部軸３２０は各ポスト３０６、３０８の開口部３１６に配置され、ＲＣ可動台部軸３２２は各連結具開口部２７８、２８０に配置される。組立て時、連結具３１８は、ＳＡＢ可動台部２５２とＲＣ可動台部２５０との間に延在するはさみ型の連結部を形成する。ＳＡＢ可動台部とＲＣ可動台部との動作は、連結部１８によって可能になり、下記に「剃刀アセンブリの操作」でより詳細に説明する。
【００６７】
ハンドル１６は、ＲＣ可動台部２５０とＳＡＢ可動台部２５２との少なくとも一部を支持する内部空洞１７を含む。ハンドル１６の外形は、上記ものと類似する。内部空洞１７の中にハンドル１６は、連結具３１８に属する逆側に配置されたハウジング軸３２４を支持する両側の一対のベアリング取付け具３２６を含む。いくつかの実施例のように、ＲＣ可動台部２５０、ＳＡＢ可動台部２５２、ハンドル１６内での各要素のサイズ決めは、わずかな締まりばめが形成される。締まりばめ接合では、剃刀カートリッジ１２とシェービングエイドボディ１４との間の動作をわずかに鈍らせるが、阻止することはない。結果として、剃刀カートリッジ１２とシェービングエイドボディ１４との相対的位置は保持される。
【００６８】
各種の軸とベアリング取付け具または開口部との間の枢軸連結部は、本例では嵌合雌雄対という点で説明される。代替の実施例では、上記の嵌合雌雄対のうちの雄方を有する要素は、一対の雌方と連携可能であり、逆も同様に可能で、他タイプの枢軸アレンジメントでも可能である。
【００６９】
上記のように、一つ以上のシェービングボディエイド１４、ベース２５４、剃刀カートリッジ１２、及び、ホルダー２２０は、独立した交換カートリッジあるいはその組合せから形成される交換カートリッジとして供給可能である。
（剃刀アセンブリの操作）
【００７０】
剃刀アセンブリの操作中に、上記の例に説明した様々な実施例を含み、剃刀カートリッジ１２は、通常、初期には、剃刀カートリッジ１２内に属する一つ以上の剃刀刃２６の刃先３１が新しいシェービングエイドボディの接触面に略同じ平面上であるように位置される。使用中に剃刀アセンブリ１０は水に晒され、また、剃刀アセンブリ１０は、シェーブ面に沿って滑らされる。結果として、シェービングエイドボディ１４は、浸食し始め、例えば、潤滑媒体をシェーブ面に供給し始める。シェービングエイドボディ１４が剃刀カートリッジ１２を取り囲む楕円形ボディのような好適な実施例において、シェービングエイドボディ１４は、使用者の動作方向に関係なくシェービングエイド物質を溶着する。使用者がシェービングするにつれて、シェービングエイドボディ１４は浸食することで高さを下げていく。シェービングエイドボディ１４が高さを変化させる基となる構造がないならば、剃刀カートリッジ１２はすぐに露出され、シェービングエイドボディ１４によって提供される潤滑機能は顕著に妨げられる。
【００７１】
本発明の剃刀アセンブリ１０によってシェービングエイドボディ１４と剃刀カートリッジ１２とは、シェービングエイドボディ１４に属する接触面１５及び剃刀カートリッジ１２に属する剃刀刃の間が本来の位置を維持するために有利にはたらく。使用者によって加えられる力は、シェーブ面に接触する剃刀カートリッジ１２及びシェービングエイドボディ１４の一部におおよそ分配される。シェービングエイドボディ１４が浸食し、シェービングエイドボディ１４の接触面１５がハンドル１６に結果的に近づくにつれ、シェービングエイドボディ１４と剃刀カートリッジ１２との相対的位置は変化する（例えば、図９から図１２参照）。しかしながら、剃刀カートリッジ１２とシェービングエイドボディ１４の接触面１５との位置関係は変化しない。剃刀アセンブリ１０に加えられる力によって、剃刀カートリッジ１２はハンドル１６の内部方向に動き、連結部１８は枢動する。連結部１８の枢動（「シーソー」）運動は、シェービングエイドボディ１４をハンドル１６の内部とは逆方向、例えば、剃刀カートリッジ１２の動きとは略反対の方向へ移動させる。結果的に、接触面１５は、剃刀カートリッジ１２内の一つ以上の剃刀刃２６の刃先３１と略同じ平面上に維持される。
【００７２】
図１から図９を参照し、例１に開示した実施例について、ハンドル１６の内部に向かって剃刀カートリッジ１２が動作することで、連結部材５８、６０は、連結ポスト７４と中央開口部６４との間に形成されたハンドル枢着点の周りを枢動する。言い換えると、連結部材５８、６０が枢動すると、ベース５０と装着されたシェービングエイドボディ１４とは、ハンドル１６の内部と逆方向、例えば、剃刀カートリッジ１２の動きとは略反対の方向へ移動する。この方法では、シェービングエイドボディ１４と剃刀カートリッジ１２との位置は、交換カートリッジ１２の耐用期間内であれば略同じ平面上の位置を維持するように連続的に調整される。シェービングエイドボディ１４と剃刀カートリッジ１２との相対的動作は、連結部ポスト７４に装着されたストップタブ７４が中央フランジ７０内の張出しスロット７２の一方に接触するまで可能である。張出しスロット７０の幅は、スロット７０内のストップタブ７６によってシェービングエイドボディ１４の浸食してゆく高さに適合するように、移動の量を選択される。
【００７３】
図１、２及び図９から図２２を参照し、例２で開示された実施例について、ハンドル１６の内部へ剃刀カートリッジ１２が移動すると、ホルダー７８とＲＣ可動台部１４０はハンドル１６の内部へ移動する。ＲＣ可動台部１４０が移動することで枢軸連結部１３６はハンドル１６に対して枢動する（すなわち、ハンドル枢動軸１４２は、ハンドル１６に対して同じ位置のまま留まり、枢動する。）言い換えると、枢軸連結部１３６の回転によって、ＳＡＢ可動台部１３８、ベース８０、装着されたシェービングエイドボディ１４は、ハンドル１６の内部と逆方向、すなわち、剃刀カートリッジ１２とは略反対方向に移動する。結果として、シェービングエイドボディ１４と剃刀カートリッジ１２との位置は、交換カートリッジ１２８の耐用期間内であれば略同じ平面上の位置を維持するように連続的に調整される。シェービングエイドボディ１４と剃刀カートリッジ１２との相対的動きは、枢軸連結具１３６の枢動軸１４２がＲＣ可動台部１４０内に位置する移動スロット１８０の端に接触することで制限される。
【００７４】
図２３と図２４を参照し、例３で開示された実施例について、ハンドル１６の内部へ剃刀カートリッジ１２が移動すると、ホルダー７８とＲＣ可動台部１４０はハンドル１６の内部へ移動する。ＲＣ可動台部１４０が移動することで枢軸連結部１９０と装着された枢軸ローラー１９２とはハンドル１６に対して枢動する（すなわち、ハンドル枢動軸１４２は、ハンドル１６に対して同じ位置のまま留まり、枢動する。）。言い換えると、枢軸ローラー１９２の回転によって、ＳＡＢ可動台部１３８、ベース８０、及び、装着されたシェービングエイドボディ１４は、ハンドル１６の内部と逆方向、すなわち、剃刀カートリッジ１２とは略反対方向に移動する。結果として、シェービングエイドボディ１４と剃刀カートリッジ１２との位置は、交換カートリッジ１２８の耐用期間内であれば略同じ平面上の位置を維持するように連続的に調整される。上記のように、枢軸ローラー１９２とローラーレール１９４、１９６が互いに係合している構造は、さまざまな種類（例えば、歯車、突起、摩擦物質など）のものが想定可能であるが、それによって、本発明はそのような例に限定されない。
【００７５】
図２５を参照し、例４で開示された実施例について、ハンドル１６の内部へ剃刀カートリッジ１２が移動すると、ホルダー１９８はハンドル１６の内部へ移動する。ホルダー１９８が移動することで装着された連結部材２０６、２０８は、ハンドル１６に対して移動する（すなわち、溝２１２、２１４を通って移動する）。言い換えると、連結部材２０６、２０８の移動によって、ベース２００と付着されたシェービングエイドボディ１４とは、ハンドル１６の内部と逆方向、すなわち、剃刀カートリッジ１２とは略反対方向に移動する。結果として、シェービングボディ１４と剃刀カートリッジ１２との位置は、剃刀カートリッジ１２とシェービングエイドボディ１４の耐用期間内であれば略同じ平面上の位置を維持するように連続的に調整される。
【００７６】
図２６及び図２７を参照し、例５で開示された実施例について、剃刀カートリッジ１２が第１の方向、例えば、ハンドル１６の内部へ移動すると、ホルダー２２０は同じ方向へ移動する。ホルダー２２０が移動することで装着された連結部材２２８、２３０は、ハンドル１６に対して移動する。言い換えると、連結部材２２８、２３０の移動によって、ベース２２２と装着されたシェービングエイドボディ１４とは、初めの方向とは反対のもう一つの方向、例えば、ハンドル１６の内部と逆方向に移動する。結果として、シェービングボディ１４と剃刀カートリッジ１２との位置は、剃刀カートリッジ１２とシェービングエイドボディ１４の耐用期間内であれば略同じ平面上の位置を維持するように連続的に調整される。
【００７７】
図２８から図３７を参照し、例６で開示された実施例について、剃刀カートリッジ１２が第１の方向、例えば、ハンドル１６の内部へ移動すると、連結具３１８はハンドルベアリング取付け具３２６内で支持するハウジング軸３２４の周りを枢動する。言い換えると、連結具３１８の枢動によって、ベース２５４と装着されたシェービングエイドボディ１４とは、初めの方向とは反対のもう一つの方向、すなわち、ハンドル１６の内部空洞１７と逆方向に移動する。結果として、接触面１５は剃刀カートリッジ１２内の剃刀刃の刃先と略同じ平面上に維持される。この方法では、シェービングボディ１４と剃刀カートリッジ１２との位置は、剃刀カートリッジ１２の耐用期間内であれば略同じ平面上の位置を維持するように連続的に調整される。
【００７８】
本発明は、その詳細な実施例に関して明らかにされ、説明されているが、当業者によって理解されるように、本発明の形式及び細部の様々な変更は本発明の精神及び範囲を逸脱することなくなされる。
【図面の簡単な説明】
【００７９】
【図１】本発明の剃刀アセンブリの側面図である。
【図２】ハンドルを取り外した本発明の剃刀アセンブリの実施例の斜視図である。
【図３】ホルダーに装着された剃刀カートリッジの斜視図である。
【図４】ベースに装着されたシェービングエイドボディの斜視図である。
【図５】連結部材の斜視図である。
【図６】シェービングエイドボディ、ベース、連結部、ホルダー、及び、剃刀カートリッジを含む交換カートリッジの斜視図である。
【図７】図６に示された交換カートリッジの斜視図である。
【図８】一部にハンドルを含み、図７に示され線８−８に沿って切られた交換カートリッジの断面図である。
【図９】浸食されていない状態のシェービングエイドボディの付いた本発明の剃刀アセンブリの実施例の断面図である。
【図１０】図９の線１０−１０に沿って切られた断面図である。
【図１１】浸食された状態のシェービングエイドボディの付いた本発明における剃刀アセンブリの実施例の断面図である。
【図１２】図１１の線１２−１２に沿って切られた断面図である。
【図１３】ホルダーの斜視図である。
【図１４】交換カートリッジの斜視図である。
【図１５】交換カートリッジの断面図である。
【図１６】図１５に示された線１６−１６に沿って切られた交換カートリッジ断面図である。
【図１７】ベースの斜視図である。
【図１８】ハンドルを取り外した本発明における剃刀アセンブリの実施例の斜視図である。
【図１９】連結部材の斜視図である。
【図２０】シェービングエイドボディ可動台部の斜視図である。
【図２１】シェービングエイドボディ可動台部の斜視図である。
【図２２】剃刀カートリッジ可動台部の斜視図である。
【図２３】浸食されていない状態のシェービングエイドボディの付いた本発明における剃刀アセンブリの実施例の断面図である。
【図２４】図２３の線２４−２４に沿って切られた断面図である。
【図２５】本発明における剃刀アセンブリの実施例の概略図である。
【図２６】本発明における剃刀アセンブリの実施例の概略図である。
【図２７】異なる位置での連結部を示している、図２６に示された実施例の概略図である。
【図２８】本発明における剃刀アセンブリの実施例の概略図である。
【図２９】図２８に示された剃刀アセンブリの実施例の一部の概略図である。
【図３０】剃刀カートリッジ、シェービングエイドボディなしで示された図２９の対側図である。
【図３１】異なる相対的位置にあるＲＣ可動台部とＳＡＢ可動台部を示している、図２８に示された剃刀アセンブリの実施例の一部の概略図である。
【図３２】図３１に示された概略図の対側図である。
【図３３】アームの斜視図である。
【図３４】フレームの斜視図である。
【図３５】ポストの斜視図である。
【図３６】ＳＡＢ可動台部の斜視図である。
【図３７】連結具の斜視図である。
【図１】
2008000603.tif 000003
【図２】
2008000603.tif 000004
【図３】
2008000603.tif 000005
【図４】
2008000603.tif 000006
【図５】
2008000603.tif 000007
【図６】
2008000603.tif 000008
【図７】
2008000603.tif 000009
【図８】
2008000603.tif 000010
【図９】
2008000603.tif 000011
【図１０】
2008000603.tif 000012
【図１１】
2008000603.tif 000013
【図１２】
2008000603.tif 000014
【図１３】
2008000603.tif 000015
【図１４】
2008000603.tif 000016
【図１５】
2008000603.tif 000017
【図１６】
2008000603.tif 000018
【図１７】
2008000603.tif 000019
【図１８】
2008000603.tif 000020
【図１９】
2008000603.tif 000021
【図２０】
2008000603.tif 000022
【図２１】
2008000603.tif 000023
【図２２】
2008000603.tif 000024
【図２３】
2008000603.tif 000025
【図２４】
2008000603.tif 000026
【図２５】
2008000603.tif 000027
【図２６】
2008000603.tif 000028
【図２７】
2008000603.tif 000029
【図２８】
2008000603.tif 000030
【図２９】
2008000603.tif 000031
【図３０】
2008000603.tif 000032
【図３１】
2008000603.tif 000033
【図３２】
2008000603.tif 000034
【図３３】
2008000603.tif 000035
【図３４】
2008000603.tif 000036
【図３５】
2008000603.tif 000037
【図３６】
2008000603.tif 000038
【図３７】
2008000603.tif 000039
【外国語明細書】
2008000603000001.pdf